(57)【特許請求の範囲】
【請求項１】
送風ファンの送風路に配設された熱交換器と、該熱交換器の下方に取り付けられた凝縮水貯留用ドレンパンと、該ドレンパン内に貯留された凝縮水が第１の水位に達した場合にＯＮとなる一方、前記第１の水位より低い第２の水位まで低下した場合にＯＦＦとなるフロートスイッチと、前記ドレンパン内の凝縮水を排水管を介して機外に排出するためのドレンポンプと、該ドレンポンプの運転を制御するための制御手段とを備え、前記フロートスイッチが前記第１の水位を検出した場合、前記ドレンポンプの駆動不良以外では空気調和機を停止させないように制御するとともに、前記ドレンポンプ以外の異常により前記フロートスイッチが前記第１の水位を検出していない場合に前記空気調和機が停止すると、前記ドレンポンプを所定の時間運転するようにしたことを特徴とする空気調和機の凝縮水処理装置。
【請求項２】
前記フロートスイッチが前記第１の水位を検出すると、前記ドレンポンプの運転後の停止時から前記フロートスイッチが前記第１の水位を再度検出するまでの第１の時間を記憶装置に記憶し、その後さらに、前記ドレンポンプの運転後の停止時から前記空気調和機の停止までの第２の時間を前記第１の時間と比較し、前記第２の時間が前記第１の時間より短い場合、前記ドレンポンプを運転するようにしたことを特徴とする請求項１に記載の空気調和機の凝縮水処理装置。
【請求項３】
前記空気調和機が１台の室外機に複数台の室内機が接続された多室形空気調和機であることを特徴とする請求項２に記載の空気調和機の凝縮水処理装置。
【請求項４】
前記フロートスイッチが前記第１の水位を検出した場合の前記ドレンポンプの運転から停止までの時間を第３の時間として前記記憶装置に記憶するとともに、空気調和機が停止した場合における前記ドレンポンプの停止から前記フロートスイッチが前記第１の水位を検出するまでの時間を第４の時間として前記記憶装置に記憶し、前記第１の時間と前記第３の時間と前記第４の時間の少なくとも一つに基づいて前記ドレンパン内の凝縮水上昇の原因を特定するようにしたことを特徴とする請求項３に記載の空気調和機の凝縮水処理装置。
【発明の詳細な説明】
【０００１】
【発明の属する技術分野】
本発明は、空気調和機の運転に伴って発生するドレン水をドレンポンプによって排出するための装置に関し、さらに詳しくは、ドレンポンプの運転を適切に制御できるようにした空気調和機の凝縮水処理装置に関する。
【０００２】
【従来の技術】
従来、ドレンポンプによる排水を行っている空気調和機においては、図１２に示されるように、空気調和機本体２０は天井面２２に主に取り付けられており、ドレンパンやドレンパンに溜った凝縮水を排水するドレンポンプも天井裏内に取り付けられるのが一般的である。
【０００３】
【発明が解決しようとする課題】
この場合、空気調和機本体２０内に設けられたドレンポンプから機外に排水する配水管２４は天井裏を配管されることになるが、十分なドレン勾配を確保しにくいのが実情であり、図１３に示されるように、施工時に往々にして配水管２４の立ち上がり部分が長くなったり、配水管２４の途中に逆勾配部分を生じてしまうこともあった。そのため、配水管からの流入水によりドレンパンの満水を検知するためのフロートスイッチが作動し、ドレン排水異常により空気調和機が停止していた。
【０００４】
また、ドレンポンプによる排水は、冷房・除湿運転時にドレンパンが満水となるドレン異常による停止時のみ行っており、ドレン水を排出するための配水管が施工により複雑に接続されている場合、熱交換器の保水によるドレンポンプ停止後のドレンパンヘの滴下や、多室接続による他室室内機からの流入水に起因してドレン異常による停止となる場合があった。
【０００５】
さらに、ドレンパンの満水を検知するためのフロートスイッチが作動した時点で、即ドレン異常による停止としていたため、頻繁に停止した場合、通常ドレンポンプの故障として修理され、その根本的な要因がどこにあるのか解明できず再発するという問題があった。
【０００６】
本発明は、従来技術の有するこのような問題点に鑑みてなされたものであり、ドレン排水を効率良く行い、ドレンポンプの駆動不良の場合にのみドレン異常により空気調和機を停止するようにした空気調和機の凝縮水処理装置を提供することを目的としている。
【０００７】
【課題を解決するための手段】
上記目的を達成するために、本発明にかかる空気調和機の凝縮水処理装置は、送風ファンの送風路に配設された熱交換器と、熱交換器の下方に取り付けられた凝縮水貯留用ドレンパンと、ドレンパン内に貯留された凝縮水が第１の水位に達した場合にＯＮとなる一方、第１の水位より低い第２の水位まで低下した場合にＯＦＦとなるフロートスイッチと、ドレンパン内の凝縮水を排水管を介して機外に排出するためのドレンポンプと、ドレンポンプの運転を制御するための制御手段とを備え、ドレンパン内の凝縮水水位が予め設定された高水位基準（第１の水位）に達した時、空気調和機の運転を停止するとともに、一定時間ドレンポンプを駆動させ、ドレンポンプが駆動している間にフロートスイッチがＯＦＦした場合、空気調和機の運転を再開し、フロートスイッチが常時ＯＮで運転再開が不可になるまで上述した動作を繰り返し運転させるようにした。
【０００８】
また、第１の空気調和機が停止中にフロートスイッチが第１の水位に達した時、ドレンポンプの駆動不良以外では第２の空気調和機を停止させないようにすることもできる。
【０００９】
このように制御することで、多室型空気調和機やドレン水を排出するための排水管を他の空気調和機と共用している場合、運転停止中の空気調和機のドレンパン内の凝縮水が高水位基準に達した時、一定時間ドレンポンプを駆動させ、ドレンポンプが駆動している間にフロートスイッチがＯＦＦした場合、空気調和機の運転を再開し、フロートスイッチが常時ＯＮで運転再開が不可になるまで上述した動作を繰り返し運転させることができる。
【００１０】
さらに、本発明は、ドレンパン内の凝縮水が高水位基準に達した時、凝縮水上昇の原因を特定するようにした。
【００１１】
詳述すると、ドレンパン内の凝縮水が高水位基準に達した時、空気調和機の運転を停止するとともにドレンポンプを一定時間駆動し、ドレンポンプを駆動している間にフロートスイッチがＯＦＦした場合、凝縮水上昇の原因を特定するようにした。
【００１２】
また、上述した凝縮水上昇の原因特定を空気調和機が停止中に行うようにすると、多室型空気調和機やドレン水を排出するための排水管を他の空気調和機と共用している場合に、運転停止中の空気調和機における凝縮水水位が高水位基準に達した時、運転中の空気調和機の運転を停止し、ドレンポンプを一定時間駆動させ、ドレンポンプが駆動している間にフロートスイッチがＯＦＦした場合、他室運転室内機の運転状態を把握するとともに、運転停止中に一定時間後の凝縮水水位を判定することにより、凝縮水上昇の原因を特定する。
【００１３】
また本発明は、凝縮水が高水位基準に達した時、空気調和機の運転を停止しドレンポンプを一定時間駆動させ、ドレンポンプが駆動している間にフロートスイッチがＯＦＦした場合はドレン水を排出するための排水管の施工不良として診断内容を記憶し、ドレンポンプを一定時間駆動させている間にフロートスイッチがＯＦＦしない場合、ドレンポンプの駆動不良として診断内容を記憶する記憶装置を設け、故障内容を判別するようにした。
【００１４】
さらに本発明は、凝縮水が高水位基準に達した時、空気調和機の運転を停止しドレンポンプを一定時問駆動させ、ドレンポンプを一定時間駆動させている間にフロートスイッチがＯＦＦしない場合、ドレンポンプの駆動不良として診断内容を記憶し、ドレンポンプが駆動している間にフロートスイッチがＯＦＦし、運転を一定期間停止させフロートスイッチが一定水位まで上昇した場合は熱交換器に保水された戻り水が多い状態として内容を記憶する記憶装置を設け、ドレンポンプ駆動不良の場合異常停止とするようにした。また、熱交換器に保水された戻り水が多い状態では異常停止せず運転させるようにした。
【００１５】
【発明の実施の形態】
以下、本発明の実施の形態について、図面を参照しながら説明する。
実施の形態１．
図１及び図２は、本発明の実施の形態１にかかる空気調和機の一部を示しており、送風ファン２の送風路に配設された熱交換器４と、熱交換器４の下方に取り付けられ、熱交換器４が蒸発器として作用する場合に蒸発器から発生する凝縮水を貯留するドレンパン６と、ドレンパン６に貯留された凝縮水を汲上げるためのドレンポンプ８と、ドレンポンプ８によって汲上げられた凝縮水を機外に排出するための排水管１０とを備えている。
【００１６】
ドレンパン６には、制御器１２に電気的に接続され凝縮水の水位を検出するフロートスイッチ１４が設けられており、フロートスイッチ１４からの出力信号は制御器１２に入力され、電圧に変換されて記憶装置１６に取り込まれる。すなわち、ドレンパン６の水位によつて空気調和機の運転は制御される。
【００１７】
なお、制御器１２には、フロートスイッチ１４のみならず、送風ファン２、ドレンポンプ８、及び圧縮機等の他の機器も電気的に接続されている。
【００１８】
次に、図３のタイミングチャートを参照して、本発明の実施の形態１にかかる空気調和装置の動作を説明する。
【００１９】
時刻ｔ１において、空気調和機は運転状態にあり、ドレンポンプ８が停止中に、ドレンポンプ８の故障、排水管１０の詰まり、施工不具合等により、ドレンパン６内の凝縮水の水位が異常に上昇し、フロートスイッチ１４が予め設定された高水位、即ち異常水位Ｄ３を検出すると、時刻ｔ２において、空気調和機の運転を停止させる一方、ドレンポンプ８を強制的に運転させる。時刻ｔ２より所定時間Ｔｌ（例えば、約５分）の間、ドレンポンプ８を強制的に運転させている間に、フロートスイッチ１４がリセット位置Ｄ２を下回った場合（時刻t３）、ドレンポンプ８はドレンパン６内の凝縮水を排水していると判断し、所定時間Ｔｌ経過後の時刻ｔ４において、ドレンポンプ８の運転を停止する一方、空気調和機の運転を再開する。
【００２０】
その後、フロートスイッチ１４が異常水位Ｄ３を再度検出すると（時刻ｔ５）、時刻ｔ５〜ｔ８において、時刻ｔ１〜ｔ４の繰り返し運転を行う。
【００２１】
また、図４に示されるように、フロートスイッチ１４が異常水位Ｄ３を検出していないにもかかわらず、時刻ｔ９で運転を停止した場合、ドレンポンプ８以外に異常があるとして、圧縮機ＯＦＦを指示する信号を受けて時刻ｔ９から所定時間Ｔ２（例えば、約３分）の間、ドレンポンプ８を連続運転し、時刻ｔ１０において、すべての運転を停止する。なお、運転終了後のドレンポンプ８の運転は、圧縮機停止後も熱交換器よりドレンパン６へ凝縮水が流れ込むので、水漏れを確実に防止する必要があるからである。
【００２２】
このような運転を行うことにより、ドレンポンプ８の駆動異常以外で空気調和機が異常停止することなく、記憶装置１６に運転内容（フロートスイッチの動作）を格納するとともに運転を継続でき、サービス時に不具合内容を的確に把握した上で修理することができる。
【００２３】
なお、図１におけるＤ１は、フロートスイッチ１４の最下点を示しており、このときのフロートスイッチ１４からの出力信号を受けてドレンポンプ８は停止する。
【００２４】
実施の形態２．
図５のタイミングチャートを参照して、本発明の実施の形態２にかかる空気調和機の動作について説明する。図１及び図２に示される構成は、本実施の形態も同じである。
【００２５】
１台の室外機に複数台の室内機が接続された多室型空気調和機等の場合、ドレンポンプ８の故障、排水管１０の詰まり、施工不具合等により他室の排水凝縮水が排水管を逆流する等の原因により凝縮水の水位が異常に上昇し、時刻ｔ１において、フロートスイッチ１４が予め設定された高水位、即ち異常水位Ｄ３を検出すると、時刻ｔ２において、空気調和機の運転を停止させる一方、ドレンポンプ８を強制的に運転させる。時刻ｔ２より所定時間Ｔｌ（例えば、約５分）、ドレンポンプ８を強制的に運転させている間に、フロートスイッチ１４がリセット位置Ｄ２を下回った場合（時刻t３）、ドレンポンプ８はドレンパン６内の凝縮水を排水していると判断し、所定時間Ｔｌ経過後の時刻ｔ４において、ドレンポンプ８の運転を停止する一方、空気調和機の運転を再開する。
【００２６】
その後、フロートスイッチ１４が異常水位Ｄ３を再度検出すると（時刻ｔ５）、時刻ｔ５〜ｔ８において、時刻ｔ１〜ｔ４の繰り返し運転を行うが、ドレンポンプ８が停止した時刻ｔ４からフロートスイッチ１４が異常水位Ｄ３を検出して再度動作する時刻ｔ５までの時間Ｔ３を記憶装置１６に取り込む。
【００２７】
その後、図６に示されるように、時刻ｔ４からの時間間隔が図５の時刻ｔ５より短い時刻ｔ５’において（Ｔ３’＜Ｔ３）、空気調和機の運転を停止した場合、ドレンポンプ８以外に異常があるとして、時刻ｔ５’から時刻ｔ６’までの所定時間Ｔ２（例えば、約３分）、ドレンポンプ８を連続運転し、時刻ｔ６’において、すべての運転を停止する。
【００２８】
この空気調和機を停止している間に、フロートスイッチ１４が異常水位Ｄ３を検出して動作した場合（時刻ｔ７’）、ドレンポンプ８が停止してフロートスイッチ１４が動作するまでの時間Ｔ４を記憶装置１６に取り込み、時間Ｔ１、時間Ｔ３、時間Ｔ４により凝縮水上昇の原因を特定する。
【００２９】
例えば、時間Ｔｌ内にフロートスイッチがリセット位置Ｄ２を下回らない時はドレンポンプ８の異常または排水管１０の詰まりが原因で、時間Ｔ３が、例えば１分以内の場合は排水管１０の施工不良が原因で、時間Ｔ３が１分以上の場合は他室の排水凝縮水が排水管１０を逆流する施工不良が原因と考えられる。また、時間Ｔ４が時間Ｔ３より長く、フロートスイッチ１４が異常水位Ｄ３を検出した場合、他室の排水凝縮水が排水管１０を逆流する施工不良や、配水管２の立ち上がり部分が長くなったり、配水管２途中に逆勾配部分が生じる施工不良として記憶装置１６に格納することにより、サービス時に不具合内容を的確に把握して修理することができる。
【００３０】
実施の形態３．
図７のタイミングチャートを参照して、本発明の実施の形態３にかかる空気調和機の動作について説明する。図１及び図２に示される構成は、本実施の形態も同じである。
【００３１】
時刻ｔ１において、空気調和機は運転状態にあり、ドレンポンプ８が停止中に、ドレンポンプ８の故障、排水管１０の詰まり、施工不具合等により、ドレンパン６内の凝縮水の水位が異常に上昇し、フロートスイッチ１４が予め設定された高水位、即ち異常水位Ｄ３を検出すると、空気調和機の運転を停止させる一方、ドレンポンプ８を強制的に運転させる。時刻ｔ１より所定時間Ｔｌ（例えば、約５分）、空気調和機の運転を停止させ、ドレンポンプ８を強制的に運転させている間に、フロートスイッチ１４がリセット位置Ｄ２を下回った場合（時刻t２）、ドレンポンプ８はドレンパン６内の凝縮水を排水していることになり、ドレンポンプ８が正常に動作し、かつ、配管の詰まりがないと判断して、排水管１０の施工不良として記憶装置１６に記憶するとともに、時間Ｔｌ経過後の時刻ｔ３において、空気調和機の運転を再開する。一方、時間Ｔｌ内にフロートスイッチ１４がリセット位置Ｄ２を下回わらない場合は、ドレンポンプ異常と判断して記憶装置１６に記憶し、空気調和機を異常停止する。
【００３２】
さらに、時刻ｔ３において空気調和機の運転を正常運転した場合に、フロートスイッチ１４が時刻ｔ４において再度動作すると（Ｄ３位置）、時刻ｔ４〜ｔ６において時刻ｔ１〜ｔ３の繰り返し運転を行う。
【００３３】
時刻ｔ３から時刻ｔ４までの時間間隔である時間Ｔ５が所定時間（例えば、約５分）以内の場合、排水管１０の施工が空気調和機を運転するに値しない状態であると判断し、施工異常として記憶装置１６に記憶し、空気調和機を異常停止する。
【００３４】
このような運転を行うことによりドレンポンプ８の駆動異常、施工状態異常以外では空気調和機の運転を行い、部品、施工が異常の場合は空気調和機を停止することで、故障個所の特定と水漏れに対する信頼性を向上する。
【００３５】
実施の形態４．
図８及び図９のタイミングチャートを参照して、本発明の実施の形態４にかかる空気調和機の動作について説明する。図１及び図２に示される構成は、本実施の形態も同じである。
【００３６】
図８に示されるように、時刻ｔ１において空気調和機が運転を停止し、ドレンパン６内の凝縮水の水位が上昇し、時刻ｔ２において、フロートスイッチ１４が予め設定された高水位、即ち異常水位Ｄ３を検出した場合、ドレンポンプ８を強制的に運転させる。時刻ｔ２より時間Ｔｌ以内の時刻ｔ３において、フロートスイッチ１４がリセット位置Ｄ２を下回った場合、熱交換器４が撥水状態になり保水された凝縮水がドレンパン６に滴下したものと判断して記憶装置１６に記憶する。
【００３７】
あるいは、排水管１０の戻り水の影響を除くため、時刻ｔ１から時刻ｔ２までの時間Ｔ６が設定値（例えば、約３０分）以上であれば、熱交換器４が撥水状態になり保水された凝縮水がドレンパン６に滴下したものとし記憶装置１６に記憶する。
【００３８】
次に、図９に示されるように、空気調和機が運転を停止した後、時刻ｔ５において運転を再開し、時間Ｔ７以内に凝縮水の水位が上昇し、時刻ｔ６において、フロートスイッチ１４が予め設定された高水位、即ち異常水位Ｄ３を検出した場合、ドレンポンプ８を強制的に運転させる。ドレンポンプ８を強制的に運転させた後、時間Ｔｌ以内の時刻ｔ７において、フロートスイッチ１４がリセット位置Ｄ２を下回った場合、熱交換器４が撥水状態になり保水された凝縮水がドレンパン６に滴下したものと判断して記憶装置１６に記憶する一方、時間Ｔｌ以内にフロートスイッチ１４がリセット位置Ｄ２を下回わらない場合、ドレンポンプ８の駆動異常として記憶装置１６に記憶し、空気調和機を異常停止する。
【００３９】
このような運転を行うことにより、施工状態が正常な時、ドレンポンプ８の駆動異常か、熱交換器４が撥水状態になっているかを判断することができる。
【００４０】
実施の形態５．
図１０のタイミングチャートを参照して、本発明の実施の形態５にかかる空気調和機の動作について説明する。図１及び図２に示される構成は、本実施の形態も同じである。
【００４１】
多室型空気調和機や排水管を共用で使用している空気調和機において、運転停止している空気調和機の凝縮水の水位が上昇し、時刻ｔ１において、フロートスイッチ１４が予め設定された高水位、即ち異常水位Ｄ３を検出した場合、ドレンポンプ８を強制的に運転させ、時刻ｔ１から時間Ｔｌ以内の時刻ｔ２において、フロートスイッチ１４がリセット位置Ｄ２を下回った場合、運転停止中の空気調和機のドレンポンプ８は凝縮水を排水していると判断し、時間Ｔｌ経過後の時刻ｔ３において、ドレンポンプ８の運転を停止させるとともに、空気調和機を正常運転する。
【００４２】
フロートスイッチ１４が再度異常水位Ｄ３を検出して動作すると、時刻ｔ１から時刻ｔ３の繰り返し運転を行う。
【００４３】
一方、時間Ｔｌ経過後、フロートスイッチ１４がリセット位置Ｄ２を下回らない場合、空気調和機が停止中であっても異常表示を強制的に行う。
【００４４】
このような運転を行うことにより、排水管の不具合に起因する空気調和機からの水漏れを防止することができる。
【００４５】
実施の形態６．
図１１のタイミングチャートを参照して、本発明の実施の形態６にかかる空気調和機の動作について説明する。図１及び図２に示される構成は、本実施の形態も同じである。
【００４６】
多室型空気調和機において、時刻ｔ１で運転停止した空気調和機の凝縮水の水位が上昇し、時間Ｔ８後の時刻ｔ２において、フロートスイッチ１４が予め設定された高水位、即ち異常水位Ｄ３を検出し、室外機に設けられた圧縮機（図示せず）が運転を行っている場合、ドレンポンプ８を強制的に運転させ、時刻ｔ２から時間Ｔｌ以内の時刻ｔ３において、フロートスイッチ１４がリセット位置Ｄ２を下回ると、停止中の空気調和機の熱交換器４が撥水状態になり保水された凝縮水がドレンパン６に滴下したものと判断して記憶装置１６に記憶する。
【００４７】
また、空気調和機が運転停止してから時間Ｔ８経過後、室外機の圧縮機（図示せず）が運転を行っている場合に、上記現象が発生し、時刻ｔ２〜ｔ４の動作を複数回（例えば、２回）繰り返した場合、多室型空気調和機を異常停止することにより停止室内空気調和機からの水漏れを防止することができる。
【００４８】
【発明の効果】
本発明は、以上説明したように構成されているので、以下に記載されるような効果を奏する。
本発明によれば、何らかの要因でフロートスイッチが動作した時でも、ドレンポンプが排水能力を持っているときは異常停止せず、ドレンポンプ以外の要因でフロートスイッチが動作していることが、メンテナンスを行う上で確認ができ、空気調和機からの水漏れを心配せず、使用することができる。
【００４９】
また、空気調和機として異常のない場合の判断を行うことができ、停止中の空気調和機の排水管の不具合に起因する空気調和機からの水漏れを防止することができる。
【００５０】
さらに、凝縮水の多い原因を大まかに特定することにより、一般的に不具合が生じた場合のドレンポンプのみの交換で症状が回復しない等のメンテナンスの向上と、メンテナンスを行う上で時間短縮のサービスを提供でき、コストのかかる部品を追加することなく不具合内容を特定できる空気調和機を提供することができる。
【００５１】
また、多室型空気調和機の停止室内機の状態確認、施工不具合の確認を容易に行うことができ、室内空気調和機からの水漏れを防止することができる。
【００５２】
また、一般的に見逃しやすい空気調和機からの排水管の施工不具合とドレンポンプの駆動不良、排水不良を簡単に見分けることができ、サービス時間の短縮、サービス費用の削減を行うことができる。また、ドレンポンプの不良でない場合にサービスを受けるまでの間、空気調和機として通常に使用することができる。
【００５３】
また、従来見逃しがちである熱交換器に埃、科学物質などの付着による撥水状態に起因して凝縮水の保水量が増加した場合、修理としてドレンポンプの交換、排水管の施工し直しなどの費用、サービス回数の削減を行うことができ、サービス性の向上を図り、サービスを受けるまでの間、空気調和機として通常に使用することができる。
【図面の簡単な説明】
【図１】  本発明にかかる空気調和機の一部を示す概略側面図である。
【図２】  本発明にかかる空気調和機の概略ブロック図である。
【図３】  本発明の実施の形態１にかかる空気調和機の動作を示すタイミングチャートである。
【図４】  本発明の実施の形態１にかかる空気調和機の動作を示す別のタイミングチャートである。
【図５】  本発明の実施の形態２にかかる空気調和機の動作を示すタイミングチャートである。
【図６】  本発明の実施の形態２にかかる空気調和機の動作を示す別のタイミングチャートである。
【図７】  本発明の実施の形態３にかかる空気調和機の動作を示すタイミングチャートである。
【図８】  本発明の実施の形態４にかかる空気調和機の動作を示すタイミングチャートである。
【図９】  本発明の実施の形態４にかかる空気調和機の動作を示す別のタイミングチャートである。
【図１０】  本発明の実施の形態５にかかる空気調和機の動作を示すタイミングチャートである。
【図１１】  本発明の実施の形態６にかかる空気調和機の動作を示すタイミングチャートである。
【図１２】  本発明あるいは従来の空気調和機の設置事例を示す概略側面図である。
【図１３】  従来の空気調和機の設置事例を示す概略側面図であり、（ａ）は好ましくない事例を、（ｂ）は好ましくない別の事例を示している。
【符号の説明】
２  送風ファン
４  熱交換器
６  ドレンパン
８  ドレンポンプ
１０  排水管
１２  制御器
１４  フロートスイッチ
１６  記憶装置
【図１】
0004131631.tif 000002
【図２】
0004131631.tif 000003
【図３】
0004131631.tif 000004
【図４】
0004131631.tif 000005
【図５】
0004131631.tif 000006
【図６】
0004131631.tif 000007
【図７】
0004131631.tif 000008
【図８】
0004131631.tif 000009
【図９】
0004131631.tif 000010
【図１０】
0004131631.tif 000011
【図１１】
0004131631.tif 000012
【図１２】
0004131631.tif 000013
【図１３】
0004131631.tif 000014